(57)【要約】【課題】光ディスクのトレイ駆動機構において、簡素かつ安価な構成で装置の小型化を図ると共に、ウォームのセルフロックを回避する。【解決手段】光ピックアップ３をフィード駆動すると共に、トレイ２を開閉駆動するためのフィードモータ４は、その出力軸がフィード用ギア７の回転軸に直交する面に対してウォーム５の進み角分傾斜して搭載される。フィードモータ４の出力軸に設けられたウォーム５と噛合するフィード用ギア７の下段ギア２４は、平歯車によって構成される。また、フィードモータ４は、トレイ２が閉方向に押圧されたときにフィード用ギア７の回転による出力軸にかかる荷重をフィードモータ４側に押しつけるように搭載されている。これにより、ウォーム５を引張ることで発生する「モータのロストルク増加」がなくなり、セルフロックが回避される。【選択図】　　　　図２
0003098770.tif 000002
【実用新案登録請求の範囲】
【請求項１】
装置本体に対して所定方向にスライド可能に設けられ、駆動力を受けるための第１のラックを有し、載置された光ディスクを装置本体に装填するトレイと、
光ディスクにレーザ光を照射することにより、データを記録／再生する光ピックアップと、
光ピックアップを光ディスクの径方向にフィード駆動すると共にトレイを開閉駆動するためのフィードモータと、
このフィードモータの出力軸に設けられたウォームと噛合することにより回転駆動され、前記光ピックアップに設けられている第２のラックにフィード駆動力を伝達するフィード用ギアと、
前記フィード用ギアと噛合することにより該フィード用ギアを介して前記フィードモータの駆動力が伝達される駆動力伝達ギアと、
この駆動力伝達ギア及び前記トレイの第１のラックと噛合することにより該駆動力伝達ギアから伝達された駆動力によりトレイを開閉駆動するトレイ駆動ギアとを備えた光ディスク装置のトレイ駆動機構において、
前記駆動力伝達ギアは、前記フィード用ギアと噛合う第１の駆動力伝達ギアと、この第１の駆動力伝達ギア及びトレイ駆動ギアと噛合い、該第１の駆動力伝達ギアによって伝達された駆動力をトレイ駆動ギアに伝達する第２の駆動力伝達ギアとを有し、
前記フィードモータは、その出力軸が前記フィード用ギアの回転軸に直交する面に対して前記ウォームの進み角分傾斜して、かつ、トレイが開状態から閉方向に押圧されたときに前記フィード用ギアの回転による前記出力軸にかかる荷重を前記フィードモータ側に押しつけるように搭載されており、
前記フィード用ギアは、前記ウォームと噛合う平歯車を含んで成ることを特徴とする光ディスク装置のトレイ駆動機構。
【請求項２】
装置本体に対して所定方向にスライド可能に設けられ、開閉駆動力を受けるための第１のラックを有し、載置された光ディスクを装置本体に装填するトレイと、
光ディスクにレーザ光を照射することにより、データを記録／再生する光ピックアップと、
光ピックアップを光ディスクの径方向にフィード駆動すると共に、トレイを開閉駆動するためのフィードモータと、
このフィードモータの出力軸に設けられたウォームと噛合することにより回転駆動され、前記光ピックアップに設けられている第２のラックにフィード駆動力を伝達するフィード用ギアと、
前記フィード用ギアと噛合することにより、該フィード用ギアを介して前記フィードモータの駆動力が伝達される駆動力伝達ギアと、この駆動力伝達ギア及び前記トレイの第１のラックと噛合することにより、該駆動力伝達ギアから伝達された駆動力によってトレイを開閉駆動するトレイ駆動ギアとを備えた光ディスク装置のトレイ駆動機構において、
前記フィードモータは、その出力軸が前記フィード用ギアの回転軸に直交する面に対して前記ウォームの進み角分傾斜して搭載されており、
前記フィード用ギアは、前記ウォームと噛合う平歯車を含んで成ることを特徴とする光ディスク装置のトレイ駆動機構。
【請求項３】
前記フィードモータは、トレイが開状態から閉方向に押圧されたときに前記フィード用ギアの回転による前記出力軸にかかる荷重を前記フィードモータ側に押しつけるように搭載されていることを特徴とする請求項２に記載の光ディスク装置のトレイ駆動機構。
【請求項４】
装置本体に対して所定方向にスライド可能に設けられ、駆動力を受けるための第１のラックを有し、載置された光ディスクを装置本体に装填するトレイと、
光ディスクにレーザ光を照射することにより、データを記録／再生する光ピックアップと、
光ピックアップを光ディスクの径方向にフィード駆動すると共に、トレイを開閉駆動するためのフィードモータと、
このフィードモータの出力軸に設けられたウォームと噛合って回転駆動され、前記光ピックアップに設けられている第２のラックにフィード駆動力を伝達するフィード用ギアと、
前記フィード用ギアと噛合って、該フィード用ギアを介して前記フィードモータの駆動力が伝達される駆動力伝達ギアと、
この駆動力伝達ギア及び前記トレイの第１のラックと噛合って、該駆動力伝達ギアから伝達された駆動力によってトレイを開閉駆動するトレイ駆動ギアとを備えた光ディスク装置のトレイ駆動機構において、
トレイ駆動ギアと噛合する第３のラックを有し、光ピックアップのフィードに連動して、前記トレイの第１のラックと前記トレイ駆動ギアとの噛合わせを制御する噛合制御機構をさらに備え、
前記フィード用ギアは、その下段に前記ウォームと噛合する下段ギアと、その中段に前記駆動力伝達ギアと噛合する中段ギアと、その上段に前記光ピックアップのラックと噛合する上段ギアとを有し、
前記中段ギアと上段ギアとは、同一の歯数で形成され、一体的に回転することを特徴とする光ディスク装置のトレイ駆動機構。
【考案の詳細な説明】
【０００１】
【考案の属する技術分野】
本考案は、光ディスク装置のトレイ駆動機構に関するものである。
【０００２】
【従来の技術】
光ディスク装置では、製造コストの低減を図ることを目的として、光ピックアップを光ディスクの径方向にフィードするためのフィードモータによって、ディスククランプ動作の駆動及びトレイ開閉動作の駆動を行えるように検討されている。図５は、このような光ディスク装置のフィードモータとその駆動力を伝達するフィード用ギアを示している。フィードモータ１０４は、その出力軸１４５がフィード用ギア１０７の回転軸１４６に直交する面、すなわち、下段ギアの厚み中心面と平行に、ねじ１４８の締結によって光ピックアップのドライブメカシャーシ１１２に固定され、その出力軸１４５にはフィード用ギア１０７と噛合するウォーム１０５が設けられている。フィード用ギア１０７は、ウォーム１０５と噛合する下段ギア１２４と、トレイに開閉のための駆動力を伝達するための中段ギア１２３と、光ピックアップにフィードのための駆動力を伝達するための上段ギア１１６とによって構成されている。ウォーム１０５と噛合する下段ギア１２４には、斜歯車が用いられている。
【０００３】
また、上記の光ディスク装置とは別に、モータの出力軸に直結されたリードスクリュと、このリードスクリュの回転を伝達するウォーム及び複数の斜歯車等によって構成された光ディスク装置が知られている（例えば、特許文献１参照）。また、モータの出力を伝達するウォームと、このウォームに噛合する斜歯車と、この斜歯車と一体的に形成されたピニオンギアと、このピニオンギアと噛合するラックとを備えた光ディスク装置において、ラックにピニオンギアの駆動力を逃がす逃がし部を設けたものが知られている（例えば、特許文献２参照）。光ディスク装置において、斜歯車のウォームへの食い込みを防止するために、両者のクリアランスを調整するスラスト調整部材を備えたものが知られている。（例えば、特許文献３参照）。さらに、電子カメラの磁気ヘッド送り装置において、リードスクリュの移動を円滑に行うために、モータをその出力軸を傾斜させて搭載したものが知られている（例えば、特許文献４参照）。
【０００４】
【特許文献１】
特開２００２−２１６４４０号公報
【特許文献２】
特開２０００−４６１３７号公報
【特許文献３】
特開平９−１３３１９４号公報
【特許文献４】
特開昭６３−２２８４７４号公報
【０００５】
【考案が解決しようとする課題】
しかしながら、図５及び特許文献１乃至特許文献３に示した光ディスク装置においては、ウォーム１０５と噛合する下段ギア１２４に斜歯車を用いているので、それを製造するための金型が高価なものとなり、装置の製造コストを低減することができない。また、図５に示した機構を用いた光ディスク装置においては、ウォーム１０５と下段ギア１２４との噛合わせの関係上、フィードモータ１０４の出力軸１４５を下段ギア１２４の厚み中心面上になるようにフィードモータ１０４を配置しなければならないので、ドライブメカシャーシ１１２から下段ギア１２４の厚み中心面までの距離Ｄをフィードモータ１０４の外筒ケースの半径以上に確保しなければならない。従って、装置の小型化を図ることが困難である。さらに、ねじ１４８を締結してフィードモータ１０４をドライブメカシャーシ１１２に固定する際、ねじ１４８を締結するためのドライバ等の工具がドライブメカシャーシ１１２と干渉しやすく、その作業を円滑に行うことが困難である。また、特許文献１乃至特許文献３に示した光ディスク装置においては、装置の構成が複雑となり、その製造コストを低減することができない。
【０００６】
また、特許文献４に示した磁気ヘッド送り装置の技術をそのまま光ディスク装置に適用しても、１つのモータで光ピックアップのフィード駆動及びトレイの開閉駆動等を行ったり、装置の小型化を図ることができない。
【０００７】
本考案は、上述した問題点を解決するためになされたものであり、簡素かつ安価な構成で装置の小型化を図ることができるトレイ駆動機構を提供することを目的とする。
【０００８】
【課題を解決するための手段】
上記目的を達成するために請求項１の考案は、装置本体に対して所定方向にスライド可能に設けられ、駆動力を受けるための第１のラックを有し、載置された光ディスクを装置本体に装填するトレイと、光ディスクにレーザ光を照射することにより、データを記録／再生する光ピックアップと、光ピックアップを光ディスクの径方向にフィード駆動すると共にトレイを開閉駆動するためのフィードモータと、このフィードモータの出力軸に設けられたウォームと噛合することにより回転駆動され、光ピックアップに設けられている第２のラックにフィード駆動力を伝達するフィード用ギアと、フィード用ギアと噛合することにより該フィード用ギアを介してフィードモータの駆動力が伝達される駆動力伝達ギアと、この駆動力伝達ギア及びトレイの第１のラックと噛合することにより駆動力伝達ギアから伝達された駆動力によりトレイを開閉駆動するトレイ駆動ギアとを備えた光ディスク装置のトレイ駆動機構において、駆動力伝達ギアは、フィード用ギアと噛合う第１の駆動力伝達ギアと、この第１の駆動力伝達ギア及びトレイ駆動ギアと噛合い、第１の駆動力伝達ギアによって伝達された駆動力をトレイ駆動ギアに伝達する第２の駆動力伝達ギアとを有し、フィードモータは、その出力軸がフィード用ギアの回転軸に直交する面に対してウォームの進み角分傾斜して、かつ、トレイが開状態から閉方向に押圧されたときにフィード用ギアの回転による出力軸にかかる荷重をフィードモータ側に押しつけるように搭載されており、フィード用ギアは、ウォームと噛合う平歯車を含んで成るものである。
【０００９】
この構成によれば、１つのフィードモータによって、光ピックアップのフィード駆動とトレイの開閉駆動を行うことができるので、光ディスク装置に搭載するモータの数を削減できる。また、フィードモータは、その出力軸がフィード用ギアの回転軸に直交する面に対してウォームの進み角分傾斜して搭載されているので、フィード用ギアと該フィード用ギアが組み込まれるシャーシとのクリアランスを小さくすることができ、装置の小型化を図ることができる。また、同時に、フィード用ギアのうち、ウォームと噛合するギアに平歯車を用いることができるようになり、フィード用ギアを成形するための金型を安価なものとすることができ、装置の製造コストを低減することが可能となる。また、トレイが開状態から閉方向に押圧されたときにフィード用ギアの回転による出力軸にかかる荷重がフィードモータ側に押しつけられるので、ウォームギアを引張ることで発生する「モータのロストルク増加による」によるロック（ウォームギアのセルフロック）を回避することができる。
【００１０】
請求項２の考案は、装置本体に対して所定方向にスライド可能に設けられ、開閉駆動力を受けるための第１のラックを有し、載置された光ディスクを装置本体に装填するトレイと、光ディスクにレーザ光を照射することにより、データを記録／再生する光ピックアップと、光ピックアップを光ディスクの径方向にフィード駆動すると共に、トレイを開閉駆動するためのフィードモータと、このフィードモータの出力軸に設けられたウォームと噛合することにより回転駆動され、光ピックアップに設けられている第２のラックにフィード駆動力を伝達するフィード用ギアと、フィード用ギアと噛合することにより、フィード用ギアを介してフィードモータの駆動力が伝達される駆動力伝達ギアと、この駆動力伝達ギア及びトレイの第１のラックと噛合することにより、駆動力伝達ギアから伝達された駆動力によってトレイを開閉駆動するトレイ駆動ギアとを備えた光ディスク装置のトレイ駆動機構において、フィードモータは、その出力軸がフィード用ギアの回転軸に直交する面に対してウォームの進み角分傾斜して搭載されており、フィード用ギアは、ウォームと噛合う平歯車を含んで成るものである。
【００１１】
この構成によれば、１つのフィードモータによって光ピックアップのフィード駆動とトレイの開閉駆動を行うことができるので、光ディスク装置に搭載するモータの数を削減できる。また、フィードモータは、その出力軸がフィード用ギアの回転軸に直交する面に対してウォームの進み角分傾斜して搭載されているので、フィード用ギアと該フィード用ギアが組み込まれるシャーシとのクリアランスを小さくすることができ、装置の小型化を図ることができる。また、同時に、フィード用ギアのうち、ウォームと噛合するギアに平歯車を用いることができるようになり、フィード用ギアを成形するための金型を安価なものとすることができ、装置の製造コストを低減することが可能となる。
【００１２】
請求項３の考案は、請求項２に記載の光ディスク装置のトレイ駆動機構において、フィードモータは、トレイが開状態から閉方向に押圧されたときにフィード用ギアの回転による出力軸にかかる荷重をフィードモータ側に押しつけるように搭載されているものである。
【００１３】
この構成によれば、トレイが開状態から閉方向に押圧されたときにフィード用ギアの回転による出力軸にかかる荷重がフィードモータ側に押しつけられるので、ウォームギアを引張ることで発生する「モータのロストルク増加による」によるセルフロックを回避することができる。
【００１４】
請求項４の考案は、装置本体に対して所定方向にスライド可能に設けられ、駆動力を受けるための第１のラックを有し、載置された光ディスクを装置本体に装填するトレイと、光ディスクにレーザ光を照射することにより、データを記録／再生する光ピックアップと、光ピックアップを光ディスクの径方向にフィード駆動すると共に、トレイを開閉駆動するためのフィードモータと、このフィードモータの出力軸に設けられたウォームと噛合って回転駆動され、光ピックアップに設けられている第２のラックにフィード駆動力を伝達するフィード用ギアと、フィード用ギアと噛合って、フィード用ギアを介してフィードモータの駆動力が伝達される駆動力伝達ギアと、この駆動力伝達ギア及びトレイの第１のラックと噛合って、駆動力伝達ギアから伝達された駆動力によってトレイを開閉駆動するトレイ駆動ギアとを備えた光ディスク装置のトレイ駆動機構において、トレイ駆動ギアと噛合する第３のラックを有し、光ピックアップのフィードに連動して、トレイの第１のラックとトレイ駆動ギアとの噛合わせを制御する噛合制御機構をさらに備え、フィード用ギアは、その下段にウォームと噛合する下段ギアと、その中段に駆動力伝達ギアと噛合する中段ギアと、その上段に光ピックアップのラックと噛合する上段ギアとを有し、中段ギアと上段ギアとは、同一の歯数で形成され、一体的に回転するものである。
【００１５】
この構成によれば、第１のラックを介して光ピックアップと連動する噛合制御機構の動作と、駆動伝達ギアを介して駆動されるトレイ駆動ギアの動作の同期を容易にとることができる。これにより、各ギアの組み込み時に特別な位相合わせを行わなくても、トレイ駆動ギアと第３のラックとの歯先干渉を回避することができる。また、フィード用ギアは、下段ギア、中段ギア及び上段ギアを積重ねた３段のギアで構成されるので、装置の小型化を図ることができる。
【００１６】
【考案の実施の形態】
本考案の一実施形態によるトレイ駆動機構を備えた光ディスク装置について図面を参照して説明する。図１は光ディスク装置の外観を示している。光ディスク装置６０は、トレイ２に載置された光ディスクを装置内部にローディングし、ローディングされた光ディスクにレーザ光を照射して信号を記録／再生する装置である。光ディスクのローディング／アンローディングは、光ディスクが載置されたトレイ２をトレイ駆動機構により駆動し、開閉方向Ａにスライドさせることによりなされる。
【００１７】
図２はトレイ駆動機構を示している。トレイ駆動機構１は、光ピックアップ３をフィード駆動するフィードモータ４によってトレイ２を駆動し、開閉するための機構であり、光ディスクにレーザ光を照射して信号を記録／再生する光ピックアップ３と、光ピックアップ３をフィード駆動すると共にトレイを開閉駆動するためのフィードモータ４と、フィードモータ４の出力軸に設けられたウォーム５と、ウォーム５及び光ピックアップ３に設けられたラック６（第１のラック）に噛合するフィード用ギア７と、フィード用ギア７に噛合するギア２７及びトレイ駆動ギア９に噛合するギア２８によって構成された駆動力伝達ギア８と、ギア２８及びトレイ２に設けられたラック（第２のラック）１０に噛合するトレイ駆動ギア９と、ラック１０に対するトレイ駆動ギア９の噛合わせを制御する噛合制御機構１１と、光ピックアップ３、フィードモータ４、フィード用ギア７、駆動力伝達ギア８と、及び噛合制御機構１１等が搭載されるドライブメカシャーシ１２等によって構成されている。なお、ドライブメカシャーシ１２及びトレイ駆動ギア９等は、トレイ２の下方に配置されている。また、フィード用ギア７は、上段ギア１６と、中段ギア２３と、下段ギア２４とで構成されている。
【００１８】
トレイ２の上面側には、光ディスクを載置するための凹部１３が設けられ、下面側には、トレイ２の開閉のための駆動力を受けるラック１０と、トレイ２の開閉時にトレイ２を矢印Ａ方向に案内するためのガイド溝１４とが設けられている。
【００１９】
光ピックアップ３は、レーザ光を出射する半導体レーザ、レーザ光を光ディスクの記録面に集光させる対物レンズ１５、光ディスクによって反射されたレーザ光を受光する受光素子、フィード用ギア８と噛合うラック６等を有しており、フィード用ギア７の上段ギア１６から駆動を受け、光ディスクの径方向（フィード方向Ｂ）にフィードされる。この光ピックアップ３のフィード方向Ｂは、トレイ２の開閉方向Ａと同一の方向とされる。
【００２０】
光ピックアップ３のラック６の上部には、フィード用ギア７の回転駆動力をフィード方向Ｂへのスライド駆動力に変換して噛合制御機構１１に伝達するスライド部材２０が、光ピックアップ３に対してフィード方向Ｂにスライド自在に装着されている。スライド部材２０は、ラック６と重なり合ってフィード用ギア７の上段ギア１６と噛合うラック２１を有し、ラック６及びラック２１とによってダブルラックが構成される。また、スライド部材２０の先端には、噛合制御機構１１に駆動力を伝達するためのボス２２が形成されている。
【００２１】
フィードモータ４の出力軸には、例えば、３条でモジュールが０．３ｍｍのウォーム５が組み込まれており、フィードモータ４の出力はウォーム５を介してフィード用ギア７に伝達される。フィード用ギア７は、前述のように光ピックアップ３のラック６、スライド部材２０のラック２１と噛合う上段ギア１６（歯数＝１４、モジュール＝０．５ｍｍ）、駆動伝達ギア８と噛合う中段ギア２３（歯数＝１４、モジュール＝０．７ｍｍ）、及びウォーム５と噛合う下段ギア２４（歯数＝９０、モジュール＝０．３ｍｍ）で構成されている。これら３つのギア１６，２３，２４は、一体的に成形されている。また、上段ギア１６と中段ギア２３とは、同一の歯数を有し、各歯の位相が相互に等しくなるように形成されている。
【００２２】
駆動伝達ギア８は、フィード用ギア７の中段ギア２３と噛合うギア２７（第１のギア：歯数＝４８、モジュール＝０．７ｍｍ）と、ギア２７及びトレイ駆動ギア９と噛合うギア２８（第２のギア：歯数＝４０、モジュール＝０．７ｍｍ）とによって構成されている。フィード用ギア７の回転駆動力は、ギア２７とギア２８を順次介してトレイ駆動ギア９に伝達される。トレイ駆動ギア９は、ギア２８と噛合う上段ギア３０（歯数＝１４、モジュール＝０．７ｍｍ）と、トレイ２のラック１０と噛合う下段ギア３１（歯数＝１４、モジュール＝１．２ｍｍ）とによって構成されている。上段ギア３０と下段ギア３１とは、同一の歯数を有し、各歯の位相が相互に等しくなるように一体的に形成されている。
【００２３】
噛合制御機構１１は、プレートトリガ３３とカムスライダ３４等によって構成されている。プレートトリガ３３は、スライド部材２０のボス２２が係合するカム溝３５と、カムスライダ３４に設けられているカム溝３６に係合するボス３７とを有しており、ドライブメカシャーシ１２に矢印Ｃ方向（トレイ開閉方向Ａと直交する方向）にスライド自在に装着されている。カムスライダ３４は、プレートトリガ３３のボス３７と係合するカム溝３６と、トレイ２のガイド溝１４と係合するボス３８と、トレイ駆動ギア９の上段ギア３０に噛合するラック（第３のラック）３９とを有しており、光ディスク装置６０の本体のシャーシに矢印Ｃ方向にスライド自在に装着されている。
【００２４】
フィードモータ４を回転させると、フィード用ギア７が回転駆動され、その回転に伴ってスライド部材２０が矢印Ｂ方向に移動することにより、ボス２２とカム溝３５が係合し、プレートトリガ３３が矢印Ｃ方向に駆動される。このとき、プレートトリガ３３のボス３７と係合するカム溝３６を有するカムスライダ３４がプレートトリガ３３のスライドに連動して矢印Ｃ方向に移動すると共に、プレートトリガ３３がカム溝３６にガイドされて昇降する。
【００２５】
カムスライダ３４がプレートトリガ３３によって駆動されて矢印Ｃ方向に移動すると、カムスライダ３４のラック３９とトレイ駆動ギア９の上段ギア３０が噛合い、以後カムスライダ３４への駆動伝達経路が駆動伝達ギア８及びトレイ駆動ギア９を介する経路に切り替わる。トレイ駆動ギア９によって駆動されたカムスライダ３４が矢印Ｃ方向に移動すると、ボス３８とガイド溝１４との係合によりトレイ２が開方向に駆動され、トレイ駆動ギア９の下段ギア３１とトレイ２のラック１０とが噛合い、以後トレイ２がトレイ駆動ギア９によって開閉駆動される。
【００２６】
ドライブメカシャーシ１２は、光ピックアップ３、フィードモータ４、フィード用ギア７、ギア２７，２８、プレートトリガ３３、ターンテーブル４０及びターンテーブル４０を回転駆動するためのスピンドルモータ（図示せず）を搭載し、光ディスク装置６０の本体のシャーシと結合するための一対の軸部４１を有し、光ピックアップ３がフィード方向Ｂに移動（トラバース）する際の基台（トラバースベース）となる。軸部４１は、ドライブメカシャーシ１２の一端側に形成され、光ディスク装置６０の本体のシャーシから突設された支持片（図示せず）によって回動自在に支持される。ドライブメカシャーシ１２の他端側には、プレートトリガ３３が矢印Ｃ方向にスライド自在に装着される。プレートトリガ３３がカムスライダ３４によって昇降駆動されることにより、ドライブメカシャーシ１２が軸部４１を中心として回動し、これに伴い、軸部４１とプレートトリガ３３との間に設置されたターンテーブル４０が昇降して光ディスクをクランプ／アンクランプする。
【００２７】
上記構成を有するトレイ駆動機構１によれば、１つのフィードモータ４によって、光ピックアップ３のフィード駆動とトレイ２の開閉駆動と光ディスクをクランプ／アンクランプするための駆動を行うことができるので、光ディスク装置に搭載するモータの数を削減することができる。しかも、トレイ駆動ギア９を駆動するための駆動伝達ギア８を構成するギアの点数を２点に抑えることができるので、装置の構成が簡素となり、製造コストの低減を図ることができるようになる。
【００２８】
また、フィード用ギア７の上段ギア１６と中段ギア２３とは、同一の歯数を有し、各歯の位相がずれないように一体的に成形されているので、スライド部材２０等を介して光ピックアップ３と連動する噛合制御機構１１の動作と、駆動伝達ギア８を介して駆動されるトレイ駆動ギア９の動作の同期を容易にとることができる。これにより、フィード用ギア７、駆動伝達ギア８及びトレイ駆動ギア９の組み込み時に相互に特別な位相合わせを行わなくても、トレイ駆動ギア９とカムスライダ３４のラック３９との歯先干渉を回避することができる。また、フィード用ギア７は、下段ギア２４、中段ギア２３及び上段ギア１６を積重ねた３段のギアで構成されているので、装置の小型化を図ることができる。
【００２９】
図３は、本実施形態のフィードモータ４及びフィード用ギア７を示している。フィードモータ４は、その出力軸４５がフィード用ギア７の回転軸４６に直交する面に対してウォーム５の進み角分傾斜して形成された搭載面４７にねじ４８によって取り付られている。これに伴い、ウォーム５と噛合う下段ギア２４に平歯車を適用することができるようになる。また、フィードモータ４が上述した搭載面４７に搭載されることにより、ドライブメカシャーシ１２の底面から下段ギア２４の厚み中心線を挟んで上方側に、出力軸４５の根元部が位置されることになる。従って、ドライブメカシャーシ１２と下段ギア２４の厚み中心線との距離Ｄをフィードモータ４の外筒ケースの半径より小さくすることができ、装置の小型化を図ることができる。また、フィードモータ４の外筒ケースの前面もドライブメカシャーシ１２の底面に直交する面に対してウォーム５の進み角分傾斜するので、ドライブメカシャーシ１２に設けられた開孔４９よりドライバ等の工具を挿通させることにより、ねじ４８の締結を円滑に行うことができるようになる。
【００３０】
図４は、トレイ２が開状態からユーザによって閉方向に押圧されたときのトレイ駆動機構１を示している。トレイ２が閉方向Ｅに押圧されると、トレイ駆動ギアが矢印Ｆ方向、ギア２８が矢印Ｇ方向、ギア２７が矢印Ｈ方向、フィード用ギア７がＩ方向に順次回転駆動され、その結果、フィード用ギア７と噛合うウォーム５が矢印Ｊ方向にスラスト荷重を受ける。本実施形態では、ウォーム５とフィード用ギア７の噛合い部に対して、フィードモータ４を矢印Ｊ方向に、すなわち、フィード用ギア７の回転による出力軸４５にかかる荷重をフィードモータ４側に押しつけるように位置させている。これにより、ウォーム５にかかるスラスト荷重がフィードモータ４側にかかるので、ウォーム５を引張ることで発生する「モータ内部の摩擦の増加に起因するロストルクの増加」による、ウォームギア（ウォーム５及びフィード用ギア７）のセルフロックを回避することができる。
【００３１】
また、図３に示されるように、ウォーム５の先端には軸延長部５１が軸方向に延長されて設けられており、ドライブメカシャーシ１２には、軸延長部５１と当接する軸当接部５２が立設されている。軸延長部５１と軸当接部５２の当接により、ウォーム５の先端が位置決めされ、フィード用ギア７に対するウォーム５のクリアランス及び姿勢角が維持される。これによっても、フィード用ギア７のウォーム５への食い込みによるセルフロックを防止することができる。
【００３２】
なお、本考案は上記実施形態の構成に限られることなく種々の変形が可能であり、例えば、駆動力伝達ギア８は、装置の小型化を図る上で、２枚のギア２７，２８によって構成される形態が最も望ましいが、１枚又は３枚以上のギアによって構成される形態であっても構わない。また、各ギアの条数、歯数及びモジュールは、上述したものに限られない。例えば、３条でモジュールが０．３５ｍｍのウォーム５と、歯数が７６でモジュールが０．３５ｍｍの下段ギア２４、あるいは、４条でモジュールが０．３ｍｍのウォーム５と、歯数が８７でモジュールが０．３ｍｍの下段ギア２４を組み合わせて用いてもよい。後者の組み合わせを選択した場合、トレイの開閉を迅速に行うことができる。さらに、フィード用ギアは、下段ギア２４、中段ギア２３及び上段ギア１６が一体的に回転する構成であれば、一体成形されているものに限られない。
【００３３】
【考案の効果】
以上のように請求項１の考案によれば、１つのフィードモータによって、光ピックアップのフィード駆動とトレイの開閉駆動を行うことができるので、光ディスク装置に搭載するモータの数を削減でき、装置のコストダウンを図ることができる。また、フィード用ギアと該ギアが組み込まれるシャーシとの距離を小さくすることができるので、装置の小型化を図ることができる。また、フィード用ギアのうち、ウォームと噛合するギアに平歯車を用いているので、フィード用ギアを成形するための金型を安価なものとすることができ、装置の製造コストをさらに低減することが可能となる。また、トレイが開状態から閉方向に押圧されたときに、ウォームギアを引張ることで発生する「モータのロストルク増加による」によるセルフロックを回避することができるので、トレイクローズを確実に行えるようになる。
【００３４】
請求項２の考案によれば、１つのフィードモータによって、光ピックアップのフィード駆動とトレイの開閉駆動を行うことができるので、光ディスク装置に搭載するモータの数を削減でき、装置のコストダウンを図ることができる。また、フィード用ギアと該ギアが組み込まれるシャーシとの距離を小さくすることができるので、装置の小型化を図ることができる。また、フィード用ギアのうち、ウォームと噛合するギアに平歯車を用いるので、フィード用ギアを成形するための金型を安価なものとすることができ、装置の製造コストをさらに低減することが可能となる。
【００３５】
請求項３の考案によれば、トレイが開状態から閉方向に押圧されたときに、ウォームギアを引張ることで発生する「モータのロストルク増加による」によるセルフロックを回避することができるので、トレイクローズを確実に行えるようになる。
【００３６】
請求項４の考案によれば、トレイ駆動ギアと第３のラックとの歯先干渉を回避することができるので、各ギアの組み込み時に、相互に位相を合わせる必要がなくなり、光ディスク装置の製造工程を簡略化することが可能になる。
【図面の簡単な説明】
【図１】本考案の一実施形態によるトレイ駆動機構を備えた光ディスク装置の外観を示す斜視図。
【図２】同機構の平面図。
【図３】同機構に用いられているフィードモータと、フィード用ギアを示した側面図。
【図４】トレイクローズ時における同機構の平面図。
【図５】従来のトレイ駆動機構に用いられているフィードモータと、フィード用ギアを示した側面図。
【符号の説明】
１　　トレイ駆動機構
２　　トレイ
３　　光ピックアップ
４　　フィードモータ
５　　ウォーム
６　　ラック（第２のラック）
７　　フィード用ギア
８　　駆動伝達ギア
９　　トレイ駆動ギア
１０　　ラック（第１のラック）
１１　　噛合制御機構
１６　　上段ギア
２１　　ラック（第２のラック）
２３　　中段ギア
２４　　下段ギア
２７　　ギア（第１のギア）
２８　　ギア（第２のギア）
３９　　ラック（第３のラック）
４５　　出力軸
６０　　光ディスク装置
【図１】
0003098770.tif 000003
【図２】
0003098770.tif 000004
【図３】
0003098770.tif 000005
【図４】
0003098770.tif 000006
【図５】
0003098770.tif 000007